(57)【要約】【課題】画像を記録している間にインクあふれが起こり、搬送ローラがインクで汚れ、それが記録媒体に転写した場合であっても、転写により汚れた記録媒体を検出する。【解決手段】インクを吐出するノズルを有する記録ヘッドと、前記記録ヘッドに対して記録媒体の搬送方向の下流側に配置された搬送ローラと、前記搬送ローラに対して記録媒体の搬送方向の下流側に配置されたスキャナと、画像データに基づいて前記記録媒体へのインク打込み量分布を計算し、インク打ち込み量は前記記録媒体が吸収可能な許容量を元に設定された量以上である領域を検索する検索手段と、少なくとも前記領域を前記スキャナで読み取った結果からインクあふれが起きているかを判定する判定手段とを備える。【選択図】図５
2013014069.tif 000002
【特許請求の範囲】
【請求項１】
インクを吐出するノズルを有する記録ヘッドと、
前記記録ヘッドに対して記録媒体の搬送方向の下流側に配置された搬送ローラと、
前記搬送ローラに対して記録媒体の搬送方向の下流側に配置されたスキャナと、
画像データに基づいて前記記録媒体へのインク打込み量分布を計算し、インク打ち込み量は前記記録媒体が吸収可能な許容量を元に設定された量以上である領域を検索する検索手段と、
少なくとも前記領域を前記スキャナで読み取った結果からインクあふれが起きているかを判定する判定手段と
を備えることを特徴とするインクジェット記録装置。
【請求項２】
インクを吐出するノズルを有する記録ヘッドを用い、記録媒体に画像を記録する工程と、
前記記録ヘッドで記録された前記記録媒体を搬送ローラで搬送する工程と、
画像データに基づいて前記記録媒体へのインク打込み量分布を計算する工程と、
前記インク打ち込み量分布のうち、インク打ち込み量が、前記記録媒体が吸収可能な許容量を元に設定された量以上である領域を検索する工程と、
少なくとも前記領域をスキャナで読み取り、インクあふれが起きているかを判定する工程と
を備えることを特徴とする記録不良検出方法。
【請求項３】
前記領域から前記搬送ローラの周の長さ記録媒体の搬送方向に進んだ部位へのインク打ち込み量が所定量より多い場合には、前記インクあふれが起きているとは判定しないことを特徴とする請求項２に記載の記録不良検出方法。
【発明の詳細な説明】
【技術分野】
【０００１】
本発明はインクジェット記録装置および記録不良検出方法に関し、特に搬送ローラで記録媒体を搬送するインクジェット記録装置およびインクジェット記録装置の記録不良検出方法に関するするものである。
【背景技術】
【０００２】
近年インクジェット記録装置の記録ヘッドでは、ノズルの集積配列化の技術進歩を背景に、高密度で長尺な記録ヘッドの製作が可能になってきている。このような記録ヘッドは、一般にフルライン型長尺記録ヘッドと呼ばれ、長尺な記録ヘッドに対応した幅広の記録領域に対し、１回の記録走査によって画像を完成させることができる。
【０００３】
このような記録装置の記録媒体の搬送方法の一つとして、長尺ヘッドの搬送上流側と下流側に配置された搬送ローラで記録媒体を挟持して搬送する方法が知られている（例えば、特許文献１参照）。この搬送方法によれば、記録媒体と記録ヘッドの間の距離を適正に保持して搬送することができるため、記録媒体が記録ヘッドに接触して画像がインクで汚れることなく搬送することができる。
【先行技術文献】
【特許文献】
【０００４】
【特許文献１】特開２００８−０５５８３９号公報
【発明の概要】
【発明が解決しようとする課題】
【０００５】
ところで、記録媒体に対するインクの打ち込み量を増やしていくと、記録媒体のインクの濃度は濃くなり、色域は拡大する。しかしながら、インクの打ち込み量を増やしすぎると記録媒体がインクを吸収しきれなくなり、インクが乾燥せずにあふれて、搬送ローラがインクで汚れ、それが記録媒体に転写する（ローラ転写）ことがある。
【０００６】
また、画像記録中に記録ヘッドが昇温したり、記録ヘッド間の搬送ずれ量が大きくなったりすると、実際のインクの打ち込み量が設計値よりも多くなってしまうこともある。
【０００７】
このような場合、インクがあふれてローラ転写により汚れてしまった記録媒体を何ら検知しなければ、インクで汚れた記録媒体が成果物になってしまう。また、ローラ転写が起こった状態のまま記録し続けると、記録媒体はインクで汚れ続けてしまい、無駄な紙ゴミが増えてしまう。
【０００８】
本発明は以上の点を鑑みてなされたものであり、画像を記録している間にインクあふれが起こり、搬送ローラがインクで汚れ、それが記録媒体に転写した場合であっても、転写により汚れた記録媒体を検出することができる手法の提供を目的とする。
【課題を解決するための手段】
【０００９】
本発明の１つの形態は、インクを吐出するノズルを有する記録ヘッドと、前記記録ヘッドに対して記録媒体の搬送方向の下流側に配置された搬送ローラと、前記搬送ローラに対して記録媒体の搬送方向の下流側に配置されたスキャナと、画像データに基づいて前記記録媒体へのインク打込み量分布を計算し、インク打ち込み量は前記記録媒体が吸収可能な許容量を元に設定された量以上である領域を検索する検索手段と、少なくとも前記領域を前記スキャナで読み取った結果からインクあふれが起きているかを判定する判定手段とを備えることを特徴とする。
【発明の効果】
【００１０】
以上の構成によれば、画像を記録している間にインクあふれが起こり、搬送ローラがインクで汚れ、それが記録媒体に転写した場合であっても、転写により汚れた記録媒体を検出することができる。これにより、インクで汚れた記録媒体を取り除くとともに、記録媒体がインクで汚れ続けることを抑制するので、無駄な紙ごみを減らすことができる。
【図面の簡単な説明】
【００１１】
【図１】第１の実施形態のインクジェット記録装置の構成を示す図である。
【図２】第１の実施形態の記録ヘッドのノズルの配列を示す概念図である。
【図３】第１の実施形態の記録システム構成を示すブロック図である。
【図４】第１の実施形態のローラ転写検出方法の全体流れを示すフローチャートである。
【図５】第１の実施形態のあふれ領域特定シーケンスを示すフローチャートである。
【図６】第１の実施形態の画像パラメータのシーケンスを示すフローチャートである。
【図７】第１の実施形態のスキャナ読取シーケンスを示すフローチャートである。
【図８】あふれ領域特定シーケンスについて説明するための説明図である。
【図９】あふれ領域特定シーケンスについて説明するための説明図である。
【発明を実施するための形態】
【００１２】
以下に図面を参照して本発明の実施形態を詳細に説明する。
（第１の実施形態）
図１は、本実施形態のインクジェット記録装置の構成を示す概略図である。インクジェット記録装置２０は、ロール状に巻かれた記録媒体からなる供給ロール紙２と、記録媒体１を記録媒体搬送方向（Ｘ方向）に搬送する搬送ローラ３，４を備えている。搬送ローラ３，４は、録ヘッドに対して記録媒体の搬送方向の上流側と下流側に配置されている。搬送ローラ３，４は、搬送制御部より制御されて回転している。また、記録装置２０は、複数のノズルを備えた記録ヘッド１０を備えている。記録ヘッド８は、記録媒体の搬送とともに、記録ヘッド制御部１０によって記録ヘッド８のノズルよりインクを記録媒体１に吐出させて画像を記録する。記録ヘッド８は各色独立なページ幅のラインヘッドであり、搬送方向上流側からＣ・Ｍ・Ｙの順に3個のヘッド８ａ・８ｂ・８ｃが配置されている。
【００１３】
また、本実施形態の記録装置２０は、スキャナ５を備えている。記録媒体１にパターンが記録されると、スキャナ５をスキャナ制御部１１で動作させてパターンをＲＧＢ値として読み込むことができる。
【００１４】
カッター６ａはカッター制御部１２で動作させることで、記録ヘッドにより記録されて搬送された記録媒体１を切断することができる。切断動作は記録媒体上に記録されたカットマークをカットマークセンサ６ｂで検知したタイミングで行われる。切断された記録物は、ソータ７に積載される。ソータは、記録物の画像サイズや用途によって分別するために様々なトレー、例えば、大サイズトレー・小サイズトレー・廃棄用トレーなどを備えており、ソータ制御部でどのトレーに記録物を排出するか選択することができる。
【００１５】
図２は、本実施形態の記録ヘッドのインク吐出面から見たノズルの配列を示す概念図である。本実施形態では、シアンの記録ヘッド８ａのインク吐出面に複数のノズル１４の開口が縦横に配置されている。複数のノズル開口が一直線上に並んで構成されたノズル列が、Ａ列、Ｂ列、Ｃ列、Ｄ列の順に並んでいる。ノズル開口は各列につき１０２４個並んでおり、各列の対応するノズル開口は、図中セグメント（Ｓｅｇ）番号で示されるように、記録媒体の幅方向（Ｙ方向）に一直線上に配列されている。ノズル解像度は１２００ｄｐｉである。本実施形態では、記録ヘッド８ａは、図２中矢印で示されるＸ方向にＤ列からＡ列のノズル列が順に並ぶように、インクジェット記録装置に設置されている。他の記録ヘッド８ｂおよび８ｃも同様の構成を取る。
【００１６】
図３は、本実施形態の記録システム構成を示すブロック図である。ホストＰＣ３００は、記録装置２００に記録データを送る役割を果たす。
【００１７】
ホストＰＣ３００は、ＣＰＵ３０１、ＲＡＭ３０２、ＨＤＤ３０３、ＤＡＴＡ  ＴＲＡＮＳＦＥＲ  Ｉ／Ｆ３０４、ＫＥＹＢＯＡＲＤ  ＭＯＵＳＥ  Ｉ／Ｆ３０５を有している。ＣＰＵ３０１は、ＨＤＤ３０３やＲＡＭ３０２に保持されているプログラムに基づいて処理を実行するブロックである。ＲＡＭ３０２は、揮発性のストレージであり、プログラムやデータを一時的に保持するブロックである。ＨＤＤ３０３は、不揮発性のストレージであり、プログラムやデータを保持するブロックである。ＤＡＴＡ  ＴＲＡＮＳＦＥＲ  Ｉ／Ｆ３０４は、記録装置２０とデータを送受信する為のブロックである。物理的な接続方法としては、ＵＳＢ／ＩＥＥＥ１３９４／ＬＡＮ等がある。ＫＥＹＢＯＡＲＤ  ＭＯＵＳＥ  Ｉ／Ｆ３０５は、キーボードやマウス等のＨＩＤ（Ｈｕｍａｎ  Ｉｎｔｅｒｆａｃｅ  Ｄｅｖｉｃｅ）を制御するＩ／Ｆであり、ユーザからの入力を受け付けるブロックである。ＤＩＳＰＬＡＹ  Ｉ／Ｆ３０６は、ディスプレイに表示する為のブロックである。
【００１８】
記録装置２０は、ＣＰＵ３１１、ＲＡＭ３１２、ＲＯＭ３１３、ＤＡＴＡ  ＴＲＡＮＳＦＥＲ  Ｉ／Ｆ３１４、ＨＥＡＤ  Ｃｏｎｔｒｏｌｌｅｒ３１５、Ｉｍａｇｅ  Ｐｒｏｃｅｓｓｉｎｇ  Ａｃｃｅｌｅｒａｔｏｒ３１６を有している。ＣＰＵ３１１は、ＲＯＭ３１３やＲＡＭ３１２に保持されているプログラムに基づいて処理を実行するブロックである。ＲＡＭ３１２は、揮発性のストレージであり、プログラムやデータを一時的に保持するブロックである。ＲＯＭ３１３は、不揮発性のストレージであり、プログラムやデータを保持するブロックである。ＤＡＴＡ  ＴＲＡＮＳＦＥＲ  Ｉ／Ｆ３１４は、ＰＣ３００とデータを送受信する為のブロックである。物理的な接続方法としては、ＵＳＢ／ＩＥＥＥ  １３９４／ＬＡＮ等がある。ＨＥＡＤ  Ｃｏｎｔｒｏｌｌｅｒ３１５は、実際に記録を行う記録ヘッドに対して記録データを供給し、記録制御を行うブロックである。具体的には、ＨＥＡＤ  Ｃｏｎｔｒｏｌｌｅｒ３１５をＲＡＭ３１２の所定のアドレスから必要なパラメータとデータを読み込む設計とする方法がある。ＣＰＵ３１１が必要なパラメータとデータをＲＡＭ３１２の上記所定のアドレスに書き込むと、ＨＥＡＤ  Ｃｏｎｔｒｏｌｌｅｒ３１５が起動され、実際の記録が行われる。Ｉｍａｇｅ  Ｐｒｏｃｅｓｓｉｎｇ  Ａｃｃｅｌｅｒａｔｏｒ３１６は、画像処理をＣＰＵ３１１よりも高速に行うブロックである。具体的には、Ｉｍａｇｅ  Ｐｒｏｃｅｓｓｉｎｇ  Ａｃｃｅｌｅｒａｔｏｒ３１６をＲＡＭ３１２の所定のアドレスから必要なパラメータとデータを読み込む設計とする方法がある。ＣＰＵ３１１が必要なパラメータとデータをＲＡＭ３１２の上記所定のアドレスに書き込むと、Ｉｍａｇｅ  Ｐｒｏｃｅｓｓｉｎｇ  Ａｃｃｅｌｅｒａｔｏｒ３１６が起動され、実際の記録が行われる。なお、Ｉｍａｇｅ  Ｐｒｏｃｅｓｓｉｎｇ  Ａｃｃｅｌｅｒａｔｏｒ３１６は必ずしも必要ではなく、ＣＰＵ３１１による処理のみで画像処理を実現しても良い。
【００１９】
図４は、本実施形態のローラ転写検出方法の全体流れを示すフローチャートである。本実施形態ではこれらの処理をＣＰＵ３１１で行うが、本発明では、ＣＰＵ３０１で行なってもよい。
【００２０】
まず、ローラ転写検出シーケンスが開始すると（ステップ４００）、あふれ領域特定シーケンスを行う（ステップ５００）。
【００２１】
図５は、本実施形態の記録不良検出のためのあふれ領域特定シーケンスを示すフローチャートである。あふれ領域特定シーケンスが開始すると（ステップ５００）、記録しようとしている画像データをＲＡＭ３１２に取り込む（ステップ５０１）。この記録しようとしている画像データは、カッター６ａでカットされて１枚の記録物となる画像のデータである。この画像データに対して、画素単位で記録時に適用する画像パラメータを適用し（５０２）、その結果、画像のインク打込み量分布図が画素単位で作成される（５０３）。
【００２２】
図６は、本実施形態の画像パラメータを適用するシーケンスを示すフローチャートである。ここでは、画像データを記録データに変換する際の各種画像処理テーブルと同じものを用いる。具体的には色補正テーブル５３１、色変換テーブル５３２、出力ガンマ補正テーブル５３３、量子化テーブル５３４を用いる。さらに量子化テーブル５３４により生成されたインクドットデータから画素毎のインク打込み量を計算するための変換手段５３５がある。この変換手段５３５は変換テーブルでもよく、掛け算のみで変換する計算式であってもよい。
【００２３】
まず、画像データの各画素はＲＧＢ各８ビット（０から２５５）のデータになっており、色補正テーブル５３１を適用して色補正をする（ステップ５２１）。この時点では、ＲＧＢ各８ビットのままである。次に、色変換テーブル５３２を適用してＲＧＢ各８ビットの画像データをＣＭＹ各８ビットの色分解データに色変換をする（ステップ５２２）。そして、出力ガンマ補正テーブル５３３を適用してＣＭＹ各８ビットからＣＭＹ各１２ビットに出力ガンマ補正をする（ステップ５２３）。その後、量子化テーブル５３４を用いて、ＣＭＹ各１２ビットからＣＭＹ各１ビットのドットデータに量子化をする（５２４）。このドットデータからインク打ち込み量変換テーブル（式）５３５により画素毎のインク打込み量データに変換をする（５２５）。インク打込量データが生成されると、画像パラメータ適用シーケンス５０２は終了し、再び図５を参照してあふれ領域特定シーケンスに戻る。
【００２４】
ここで、画素の大きさについて述べる。ノズル１４の解像度が１２００ｄｐｉであるが、画像の処理単位としての画素は通常ノズル解像度をそのまま使う場合（１２００ｄｐｉ）でもよく、２ノズル（６００ｄｐｉ）から４ノズル（３００ｄｐｉ）をまとめて処理してもよい。ただし、いずれの場合においても処理の単位は数μｍの微小な領域である。このため、この大きさの領域でインク打込み量が超えていても、ローラ転写は生じない。このため実際にローラ転写を起こしうる所定領域の大きさを設定する（ステップ５０４）。そして、画素単位で作成されたインク打ち込み量分布図を、設定された所定領域の大きさで統合する（ステップ５０５）。この所定領域の大きさはローラ転写が生じる大きさに相当し通常数十μｍ程度となる。
【００２５】
所定領域毎にインク打込み量が計算されるので、まずその第１領域に注目し（ステップ５０６）、インク打込み量が所定量Ａを超えているかどうかを判定する（ステップ５０７）。
【００２６】
この所定量Ａは、記録ヘッドの昇温や、搬送ずれが起こった際にローラ転写を生じるインク打込み量であるため、本来の記録媒体１が吸収可能なインク打込み量を少し下回った量となる。
【００２７】
インク打込み量がＡより大きいと判定されると、その領域から搬送ローラ４の記録面側の周の長さだけ進んだ領域に注目する（ステップ５０８）。次に、搬送ローラ４の記録面側の周の長さだけ進んだ領域でのインク打込み量が、所定量Ｂを下回っているかどうかを判定する（ステップ５０９）。所定量Ｂは、その領域にローラ転写が生じた場合、スキャナ５でローラ転写が読み取れるのに十分なインク打込み量である。
【００２８】
ここで、搬送ローラ４に転写されたインクが記録媒体に転写されてスキャナにより読取れるか否かを判断するものである。したがって、ステップ５０９の判定は、ステップ５０７の判定位置から搬送ローラ４の記録面側の周の長さだけ進んだ位置を注目するので、ステップ５０７での判定は画像データの下端から搬送ローラ４の記録面側の周の長さの位置までの検索である。
【００２９】
このように、２つの判定ステップ５０７および５０９で選別されたインク打込み量が所定量Ｂを下回っている領域は、あふれ判定領域としてリストアップされ、その位置をＲＡＭ３１２に記憶する（ステップ５１０）。そして、次の領域の判定に進む（ステップＳ５１１）。
【００３０】
また、インク打込量がＡより少なかった場合、またはインク打込量がＢより多かった場合には、次の領域の判定に進む（ステップＳ５１１）。そして、全ての領域の判定が終わったら（ステップＳ５１２）、あふれ判定領域が１つでも存在する場合には（ステップ５１３）、スキャナ読取シーケンスに進む（ステップ７００）。あふれ判定領域が１つもなければローラ転写する可能性のある領域が存在しない（ステップ５０７で「ＮＯ」の判定）、またはローラ転写の可能性の判定ができない（ステップ５０９で「ＮＯ」の判定）、のいずれかになるのでそこで、終了する（ステップ５１４）。
【００３１】
なお、ローラ転写の可能性の判定ができない場合は、ステップ５０９でインク打込み量が所定量Ｂを上回っていると判定されたときであり、ローラ転写したインクがあっても、その部分が本来のある程度濃い画像データに重なっている場合になる。そのような場合には、ローラ転写があってもそもそも視認されにくく、ほとんどの場合は問題とはならない。
【００３２】
図８および図９を用いてあふれ領域特定シーケンスについて詳細に説明する。
【００３３】
記録媒体１には画像８０１、８０２、８０３、８０４が記録されている。各々の画像におけるインク打込み量は、画像８０１は３０％、画像８０２は１１５％、画像８０３は８０％、画像８０４は６０％とする。また、記録媒体１の許容インク打込み量（それ以上打込むとインクがあふれる打込みの許容量）を１２０％とする。したがって、このままであれば、画像８０１から８０４の全ての画像の打込み量が記録媒体１の許容インク打込み量を下回っているのであふれは生じない。
【００３４】
しかしながら、例えば、記録ヘッドが昇温するとヘッド８から吐出されるインクの吐出量が１割程度は増加するので、それを考慮する必要がある。本実施形態では、所定量Ａは、記録媒体１の許容インク打込み量１２０％を１割下回った１０８％としている。このため、画像８０２は所定量Ａを超えるので、あふれ判定領域の候補として判定される（図５のステップ５０７）。
【００３５】
さらに、画像８０１、８０２、８０３、８０４からローラ４の記録面側の周（ローラ面の外周１周）の長さ分進んだ位置の記録媒体上の部位に注目する。各画像がローラ転写を起こしたとすると、それぞれ画像８０５、８０６、８０７、８０８になるが、これらのうち画像８０５、８０７、８０８はあふれる可能性が全くないため画像８０６だけに注目する。
【００３６】
画像８０６が転写される領域の打込み量が所定量Ｂより少ない場合、すなわち画像８０６が転写される領域には何も記録されていない、または記録されていても少ないインク打込み量である場合、スキャナ５で画像８０６が読み取り可能である。その場合は、図５のステップ５０９により判定領域と判定される。
【００３７】
一方、図９に記載されたように、画像８０６の位置に他の画像があり、その画像の打込み量が所定量Ｂより多い場合には、転写された画像８０６が、その領域の画像８０９に覆い隠されてしまう。この場合にはスキャナ５で画像８０６読み取りはできない。その場合は、あふれ判定領域とはならない。
【００３８】
図４を再び参照して、あふれ領域特定シーケンス（ステップ５００）おいて上述したあふれ領域を特定したら、スキャナ５によるスキャナ読取シーケンスを行う（ステップ７００）。
【００３９】
図７は、スキャナ読取シーケンスを示すフローチャートである。まず、「あふれフラッグ」の値は初期値「０（ゼロ）」とする（ステップ７０１）。
【００４０】
次に、図５のステップ５１０でリストアップされたあふれ判定領域７０２をＲＡＭ３１２から読み出し、最初の領域に注目する（ステップ７０３）。その領域をスキャナ５で読み取り（ステップ７０４）、その読み取り値からローラ転写の存在を検知する。
【００４１】
ここで、スキャナの読取色は人間の視感度に近いグリーンが適当であるが、ローラ転写の色が特定できる場合はその補色（シアンインクに対してレッド、マゼンタインクに対してグリーン、イエローインクに対してブルー）であってもよい。
【００４２】
ステップ７０４で読み取った結果ローラ転写が存在するかどうかを判定し（ステップ７０５）、ローラ転写が存在する場合は「あふれフラッグ」を１に設定する。そして、スキャナ読み取りシーケンスを終了し、図４のシーケンスに戻る（ステップ７０９）。
【００４３】
一方、ステップ７０５の判定でローラ転写が存在しない場合は、最終領域かどうかを判定し（ステップ７０７）、最終領域でなければ次の領域に進んで（ステップ７０８）、スキャナ読取（ステップ７０４）に戻る。また、ステップ７０７で最終領域であると判定された場合は「あふれフラッグ」は０のままで終了し図４のシーケンスに戻る（ステップ７０９）。
【００４４】
図４を再び参照して、スキャナ読取シーケンス７００の結果、「あふれフラッグ」が１か否かを判定する（ステップ４０１）。少しでも転写が発生しているとそれを示す「あふれフラッグ」が１となるので、この場合は、即座に画像記録を中断し（ステップ４０２）、汚れた可能性のある記録物を廃棄用トレーに出す（ステップ４０３）。これによって、ローラ転写で汚れた記録物があったとしても、それを検品して廃棄することができる。また、ローラ転写が起こった状態のまま画像記録を続行することはなくなるので、無駄な紙ゴミを低減することができる。
【００４５】
ローラ転写を検知して記録を中断した場合、搬送ローラ４がインクで汚れたままで画像記録を再開しても記録物が汚れてしまうので、ローラクリーニングに移行する（ステップ４０５）。ローラクリーニング後に、通常の記録モードよりもインク打ち込み量を下げた転写回避モードに移行する（ステップ４０６）。転写回避モードでは通常の記録モード例えば０．９倍の打ち込み量になるように画像濃度を調整して記録を行う。転写回避モードに移行することで、転写の再発を防止することができる。その後記録再開して（ステップ４０７）、最終画像データであるかを判断する（ステップ４０８）。最終画像データであれば終了する（ステップ４１０）。そうでなければ次の画像データの記録に移る（ステップ４０９）。またステップ４０１で、「あふれフラッグ＝１」ではなかった場合も、最終画像データの判断ステップ４０８に移行し、以下は同様である。
【００４６】
以上説明した通り、本発明では、画像部中の高デューティ部と、その高デューティ部のローラが対応する位置であって、白に近い部分を検知し、記録後に白に近い部分をスキャナで読み取り、インクあふれによるローラ転写が起きているか検査するものである。このような構成により、ローラ転写によってインクで汚れた記録物の検品が可能となり、転写時の無駄な紙ゴミを削減することが可能である。
【００４７】
（第２の実施形態）
第１の実施形態では、インク打込み量が、記録媒体が吸収可能なインク打込み量を少し下回った量以上であって、搬送ローラが対応する記録媒体の箇所のインク打込量がスキャナ５でローラ転写が読み取れるのに十分なインク打込み量以下であるかを判定する。しかしながら、本発明は、本発明では、インク打込量が、記録媒体が吸収可能なインク打込み量を少し下回った量以上であるかを判断するだけのものであってもよい。
【００４８】
この場合、インク打込み量が所定量Ａ以上であるとローラに転写が生じてその部分が本来の濃度より薄くなるので、スキャナによりその差を検出できる。ただし、濃い部分のインクが転写して生じる色の変化は薄い部分にローラ転写によってインクが付く場合の色の変化に比べて少ないため検出精度は悪くなる。一方、第１実施形態のステップ５０８および５０９をスキップできるので、シーケンスは簡素化される。
【００４９】
（第３の実施形態）
第１の実施形態では、カッター６ａで切断される１つの画像に注目して、あふれ判定領域としていたが、記録装置２０においては切断される前は、画像は連続している。このため、ある画像の下端付近のインクあふれが次の画像にローラ転写する場合も考えられる。したがって、これを回避するためには、２つの画像をひとまとめにして第１の実施形態で説明したあふれ領域特定シーケンスを行う。ただし、この場合はひとまとめにする画像のペアを順次１枚目+２枚目、２枚目+３枚目、３枚目+４枚目、・・・と変えていく必要がある。あるいは３つ以上、さらには最初から記録しようとする画像を全て合体して処理することも考えられるが、ＲＡＭ３１２の容量をコスト上あまり大きくできないため、ローラ４の周の長さが余程長くない限り、２つの画像をひとまとめにするので十分である。
【符号の説明】
【００５０】
１  記録媒体
３  上流側搬送ローラ
４  下流側搬送ローラ
５  スキャナ
６ａ  カッター
２０  プリンタ本体
【図１】
2013014069.tif 000003
【図２】
2013014069.tif 000004
【図３】
2013014069.tif 000005
【図４】
2013014069.tif 000006
【図５】
2013014069.tif 000007
【図６】
2013014069.tif 000008
【図７】
2013014069.tif 000009
【図８】
2013014069.tif 000010
【図９】
2013014069.tif 000011